(57)【要約】【課題】  載置部に対して携帯電話機が完全に載置されていないうちに端子が突出することで、該端子に携帯電話機が衝突し、端子や携帯電話機本体が損傷する不都合を防止する。【解決手段】  載置部に機器が完全に載置されるまでは、ターンレバー２２が端子ホルダ２３のターンレバー支持部４４に当接することで、ターンアーム２１のロック解除ボタン２５と回転ロック部５６の押圧部７５との当接を遅延化して各端子４３の突出を抑止する。載置部に機器が完全に載置された際には、ターンレバー２２が反付勢方向に回動することで、ターンアーム２１のロック解除ボタン２５で回転ロック部５６の押圧部７５を押圧して回転ロック部５６を回動させ、該回転ロック部５６の上記支持部７４による端子ホルダ２３の乗り上げ部４５の支持を解除する。これにより、バネ部材８０で付勢されている端子ホルダ２３が各端子４３の突出方向に回動し、載置部から各端子４３が突出する。【選択図】  図１０
2008125305.tif 000002
【特許請求の範囲】
【請求項１】
機器が載置される載置部と、
上記載置部から突出し、該載置部に上記機器が載置された際に押圧される突出部と、該突出部の突出方向に対して略反対方向に突出したロック解除ボタンとを備えたターンアームと、
上記ターンアームの上記突出部の突出方向に対して略反対方向に付勢されるように、第１の弾性部材を介して上記ターンアームに連結されたターンレバーと、
少なくとも上記載置部から突出させるための複数の端子と、上記ターンレバーを支持するターンレバー支持部と、回動を規制するための乗り上げ部とを備えた端子ホルダと、
上記突出部の突出方向に上記ターンアームを付勢すると共に、上記複数の端子の反突出方向に上記端子ホルダを付勢するように、上記ターンアーム及び上記端子ホルダを連結する第２の弾性部材と、
上記乗り上げ部を介して上記端子ホルダを支持することで該端子ホルダの回動を規制する支持部、及び上記ターンアームのロック解除ボタンで押圧される押圧部を備え、上記ターンアームのロック解除ボタンで上記押圧部が押圧された際に当該押圧方向に回動する回転ロック部と
を有し、
上記載置部に載置された機器により上記ターンアームの突出部が押圧された際に、該ターンアームに連動する上記ターンレバーが上記端子ホルダの上記ターンレバー支持部に当接することで、上記ターンアームのロック解除ボタンと上記回転ロック部の押圧部との当接を遅延化させ、さらに上記ターンアームの突出部が押圧された際に、上記ターンレバー支持部に当接している上記ターンレバーが当該ターンレバーの反付勢方向に回動することで、上記ターンアームのロック解除ボタンと上記回転ロック部の押圧部とを当接させ、該ロック解除ボタンで該押圧部を押圧することで、当該押圧方向に上記回転ロック部を回動させて、該回転ロック部の上記支持部による上記端子ホルダの乗り上げ部の支持を解除し、上記第２の弾性部材で付勢されている上記端子ホルダを上記各端子の突出方向に回動させ、上記載置部から上記端子ホルダの各端子を突出させること
を特徴とする充電装置。
【請求項２】
請求項１に記載の充電装置であって、
上記載置部は、底の浅い略箱形形状を有していること
を特徴とする充電装置。
【請求項３】
請求項１又は請求項２に記載の充電装置であって、
上記端子ホルダに設けられたギア部と、
上記端子ホルダのギア部と係合する回転ダンパーギア部材と
を有し、
上記回転ロック部の上記支持部による上記端子ホルダの乗り上げ部の支持が解除されることで、上記第２の弾性部材で付勢されている上記端子ホルダが上記各端子の突出方向に回動する際に、上記端子ホルダのギア部に係合している上記回転ダンパーギア部材が、該端子ホルダの回動速度を減速処理することで、上記載置部から突出する上記端子ホルダの各端子の突出速度を減速処理すること
を特徴とする充電装置。
【請求項４】
請求項１から請求項３のうち、いずれか一項に記載の充電装置であって、
上記端子ホルダは上記端子として陽極端子、陰極端子及びデータ端子を有し、上記端子ホルダから突出している上記各端子の高さを、上記陽極端子及び陰極端子の高さよりもデータ端子の高さを若干低くすることで、当該各端子を上記機器に当接させる際に、先に陽極端子及び陰極端子を当接させ、次にデータ端子を当接させること
を特徴とする充電装置。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、携帯ゲーム機等の充電を図る際に用いて好適な充電装置に関し、特に携帯機器が装着されたタイミングで当該充電装置から端子を突出させて該携帯機器側の端子に当接させる際に、携帯機器が装着されたタイミングよりも遅れたタイミングで当該充電装置から端子を突出させることで、携帯機器の装着の勢いで当該充電装置の端子や携帯機器の本体が損傷する不都合の防止等が図った充電装置に関する。
【背景技術】
【０００２】
特開２００６−４９１２３号の公開特許公報（特許文献１）に、携帯端末を載置する際に、電気的な接触を安定させると共に、端子の摩耗寿命を延ばすことを目的とした充電器が開示されている。この充電器は、支承端子により弾性的に支持されて窓部から内方に突出する充電端子を有している。
【０００３】
この充電器に携帯型バーコードリーダが載置されると、回転接触端子が携帯型バーコードリーダの受電端子に押圧され接触するのであるが、回転接触端子が回転するため、携帯型バーコードリーダの受電端子に対して接触する回転接触端子の接触位置が、携帯型バーコードリーダが載置される毎に変化することとなる。このため、特定部分のみが接触する接触端子に比べ、上記回転接触端子の摩耗寿命を延ばすことが可能となっている。
【０００４】
また、回転接触端子は、支承端子を構成するバネ部の弾性力により受電端子と圧接するようになっているため、十分なたわみ量を有した上記バネ部により回転接触端子を受電端子に対して確実に接触させることができ、電気的な接触の安定化を図ることができるようになっている。
【０００５】
【特許文献１】特開２００６−４９１２３号公報（第４頁〜第５頁：図２、図５）
【発明の開示】
【発明が解決しようとする課題】
【０００６】
しかし、特許文献１に開示されている充電器の場合、当該充電器に対して携帯型バーコードリーダを装着する方向が大きく規制される問題がある。すなわち、特許文献１に開示されている充電器は、携帯型バーコードリーダの挿入孔を有しており、この挿入孔に対して、反表示部側の端部から携帯型バーコードリーダを挿入し、該携帯型バーコードリーダを立てた状態で保持して充電を行うようになっている。このため、携帯型バーコードリーダを装着する方向は、上記反表示部側の端部からの一方向のみに規制される問題がある。
【０００７】
ここで、携帯機器を寝かせるかたちで載置可能なように、充電器の載置部の形状を略長方形の箱形形状とすることで、携帯機器の装着方向を、載置部の四方以上に広げることが可能となる。
【０００８】
しかし、充電器の構造を、この載置部に携帯機器が装着されたタイミングに同期して当該充電器から端子を突出させる構造とした場合、携帯機器を充電器に装着する方向によっては、携帯機器が載置部に完全に載置されていないうちに端子が突出し、この突出した端子に対して携帯機器本体が接触し、該携帯機器を載置した勢いで上記突出した端子が折れ曲がり、携帯機器本体が損傷するあらたな問題を生ずるおそれがある。
【０００９】
本発明は上述の課題に鑑みてなされたものであり、携帯機器を装着する方向を略々自由化することができると共に、載置部に携帯機器が装着された際に端子を突出させる構造とした場合に、載置部に完全に携帯機器が載置されていないうちに端子が突出することで、該端子が折れ曲がり、携帯機器本体が損傷する不都合を防止することができるような充電装置の提供を目的とする。
【課題を解決するための手段】
【００１０】
本発明に係る充電装置は、上述の課題を解決するための手段として、
機器が載置される載置部と、
上記載置部から突出し、該載置部に上記機器が載置された際に押圧される突出部と、該突出部の突出方向に対して略反対方向に突出したロック解除ボタンとを備えたターンアームと、
上記ターンアームの上記突出部の突出方向に対して略反対方向に付勢されるように、第１の弾性部材を介して上記ターンアームに連結されたターンレバーと、
少なくとも上記載置部から突出させるための複数の端子と、上記ターンレバーを支持するターンレバー支持部と、回動を規制するための乗り上げ部とを備えた端子ホルダと、
上記突出部の突出方向に上記ターンアームを付勢すると共に、上記複数の端子の反突出方向に上記端子ホルダを付勢するように、上記ターンアーム及び上記端子ホルダを連結する第２の弾性部材と、
上記乗り上げ部を介して上記端子ホルダを支持することで該端子ホルダの回動を規制する支持部、及び上記ターンアームのロック解除ボタンで押圧される押圧部を備え、上記ターンアームのロック解除ボタンで上記押圧部が押圧された際に当該押圧方向に回動する回転ロック部と
を有する。
【００１１】
そして、上記載置部に載置された機器により上記ターンアームの突出部が押圧された際に、該ターンアームに連動する上記ターンレバーが上記端子ホルダの上記ターンレバー支持部に当接することで、上記ターンアームのロック解除ボタンと上記回転ロック部の押圧部との当接を遅延化させ、さらに上記ターンアームの突出部が押圧された際に、上記ターンレバー支持部に当接している上記ターンレバーが当該ターンレバーの反付勢方向に回動することで、上記ターンアームのロック解除ボタンと上記回転ロック部の押圧部とを当接させ、該ロック解除ボタンで該押圧部を押圧することで、当該押圧方向に上記回転ロック部を回動させて、該回転ロック部の上記支持部による上記端子ホルダの乗り上げ部の支持を解除し、上記第２の弾性部材で付勢されている上記端子ホルダを上記各端子の突出方向に回動させ、上記載置部から上記端子ホルダの各端子を突出させる。
【００１２】
すなわち、載置部に対して機器が完全に載置されるまでは、上記ターンレバーが上記端子ホルダの上記ターンレバー支持部に当接することで、上記ターンアームのロック解除ボタンと上記回転ロック部の押圧部との当接を遅延化し、上記載置部から端子ホルダの各端子が突出するのを抑止する。
【００１３】
また、載置部に対して機器が完全に載置された際には、上記ターンレバーが当該ターンレバーの反付勢方向に回動することで、上記ターンアームのロック解除ボタンと上記回転ロック部の押圧部とを当接させる。そして、上記ロック解除ボタンで上記押圧部を押圧して上記回転ロック部を回動させ、該回転ロック部の上記支持部による上記端子ホルダの乗り上げ部の支持を解除する。これにより、上記第２の弾性部材で付勢されている上記端子ホルダが上記各端子の突出方向に回動し、上記載置部から上記端子ホルダの各端子が突出する。
【００１４】
また、本発明に係る充電装置は、上述の課題を解決するための手段として、上記各構成に加え、上記載置部が、底の浅い略箱形形状を有している。これにより、載置部に対する機器の装着方向を多方向に広げることができる。
【発明の効果】
【００１５】
本発明は、載置部に対して機器が完全に載置されるまでの間は、該載置部からの各端子の突出を抑止することができる。そして、載置部に対して機器が完全に載置された際に、該載置部から各端子を突出させることができる。
【００１６】
このため、機器が載置部に完全に載置されないうちに端子が突出することで、該突出した端子に機器が衝突し、該端子が折れ曲がり、機器が損傷する不都合を防止することができる。
【００１７】
また、本発明は、上記載置部が底の浅い略箱形形状を有しているため、該載置部に対する機器の装着方向を多方向に広げることができる。
【００１８】
なお、載置部の形状を底の浅い略箱形形状とすると、機器が載置される方向によっては、該機器が載置部に完全に載置されないうちに端子が突出するおそれがあるが、本発明は、載置部に対してどのような方向から機器を載置しても、上述のように載置部に対して機器が完全に載置されるまでの間は各端子の突出を抑止することができるため、機器が載置部に完全に載置されないうちに突出した端子に機器が衝突し、該端子が折れ曲がり、機器が損傷する不都合を防止することができる。
【発明を実施するための最良の形態】
【００１９】
本発明は、携帯電話機の充電器に適用することができる。
【００２０】
［充電器の構成］
この本発明の実施の形態となる充電器は、携帯電話機が載置される載置部１と、載置部１に携帯電話機が載置された際に、該載置部１から複数の端子を突出させる端子突出機構２と、この端子突出機構２を収納する筐体３とを有している。
【００２１】
載置部１は、当該載置部１に載置される携帯電話機に合致した形状を有しており、例えば略長方形の薄板で底の浅い略箱形形状に形成されている。また、この載置部１は、携帯電話機を載置する部分の周壁部１ａが、上部の外周長よりも底部の外周長の方が短くなるように、上部の外周から底部の外周にかけてテーパ状に切り欠き加工されている。
【００２２】
また、この載置部１は、筐体３の言わば蓋部となっており、筐体３内に端子突出機構２を収納したうえで、筐体３に蓋をするようなかたちで該筐体３に係合されるようになっている。
【００２３】
また、この載置部１は、各端子を突出させるための端子用孔５と、当該載置部１に載置された携帯電話機により押圧される端子突出機構２の突出部６を突出させるための突出部用孔７と、当該載置部１に携帯電話機が載置された際に、該携帯電話機の両側面部側にそれぞれ設けられている保持用孔（図２の符号１６）に嵌込する保持用爪部８を突出させるための爪部用孔９とを有している。
【００２４】
一方、筐体３は、端子突出機構２を収納可能な略長方形状の箱形形状を有しており、一方の長手の側壁３ａの高さが、他方の長手の側壁３ｂの高さよりも高くなっている。換言すれば、筐体３は、高さの高い長手の側壁３ａから、高さの低い長手の側壁３ｂにかけて斜めに傾斜した箱形形状を有している。
【００２５】
この筐体３の高さの高い長手の側壁３ａには、端子突出機構２に設けられる基板に接続された電源端子を露出させるための電源端子用孔１１、及び上記基板に接続された、例えばＵＳＢ端子（USB：Universal Serial Bus）等のデータ端子を露出させるためのデータ端子用孔１２が設けられている。
【００２６】
ここで、載置部１は、蓋をするかたちで筐体３に係合するのであるが、このように筐体３が斜めに傾斜した形状であると、載置部１に載置した携帯電話機が滑り落ちるおそれがある。また、載置部１に携帯電話機を載置する際には、携帯電話機側に設けられている端子の位置と、当該充電器側の端子が突出する位置とを合わせるようにして該載置部１に携帯電話機を載置する必要がある。
【００２７】
このため、載置部１には、筐体３と係合させた際に、該筐体３の低い方の側壁３ｂ側に相当し、かつ、端子用孔５の近傍となる位置に、当該載置部１の長手方向に沿った所定長の突出部１０が設けられている。この突出部１０は、載置部１に載置された携帯電話機が滑り落ちる不都合を防止すると共に、載置部１に携帯電話機を載置する際の目印として機能するようになっている。また、この突出部１０は、載置部１に携帯電話機を載置する際にユーザが触ることで、携帯電話機を載置する方向を触知可能としている。
【００２８】
図２に、筐体３内に端子突出機構２を収納し、載置部１を係合させることで組み立てた当該充電器の斜視図を示す。この図２からわかるように、筐体３に載置部１を係合させると、載置部１の突出部用孔７から端子突出機構２の突出部６が突出すると共に、載置部１の爪部用孔９から、携帯電話機１５の両側面部側に設けられている保持用孔１６に嵌込する保持用爪部８が露出するかたちとなる。
【００２９】
上述のように、載置部１は底の浅い略箱形形状に形成されているため、図２の矢印で示すように、この載置部１に対して垂直方向から携帯電話機１５を載置する載置の仕方は元より、当該載置部１の四方から携帯電話機を載置可能となっている。すなわち、この実施の形態の充電器の場合、載置部１に対して携帯電話機を載置する方向に規制は殆ど無く、載置部１の開放面に対応する方向であれば、どの方向からでも携帯電話機を載置可能となっている。
【００３０】
〔端子突出機構の構成〕
端子突出機構２は、図３に示すように突出部６が設けられたターンアーム２１と、このターンアーム２１と連動するターンレバー２２と、複数の端子が設けられた端子ホルダ２３と、これらターンアーム２１及び端子ホルダ２２を回動可能に収納するインナーシャーシ２４とを有している。
【００３１】
（ターンアーム及びターンレバーの構成）
ターンアーム２１は、全体形状が略Ｌ字状を有しており、その短手方向に沿って設けられた回動支持軸２６を中心として回動するシーソー構造を有している。このターンアーム２１は、長手の先端部に、載置部１の突出部用孔７から突出させる突出部６を有しており、図４（ａ）及び図４（ｃ）に示すように短手の先端部に、上記突出部６の突出方向と反対方向に突出するロック解除ボタン２５を有している。
【００３２】
また、ターンアーム２１は、と、ターンレバー２２の脚部を挿入するためのターンレバー挿入用孔２７と、図４（ａ）に示すように回動支持軸２６から上記突出部６の突出方向と反対方向に突出するかたちで設けられたターンレバー用バネ引っ掛け部２８及び端子ホルダ用バネ引っ掛け部２９とを有している。
【００３３】
一方、ターンレバー２２は、一方の側面から見ると図４（ｂ）に示すように略Ｌ字状となっており、この形状の短手となる脚部３０の先端にバネ引っ掛け部３１を有している。このターンレバー２２は、ターンアーム２１のターンレバー挿入用孔２７に脚部３０を挿入したうえで、該脚部３０の先端に設けられたバネ引っ掛け部３１と、ターンアーム２１のターンレバー用バネ引っ掛け部２８とをバネ部材３２で連結することで、ターンアーム２１に設けられている。これにより、ターンレバー２２は、バネ部材３２により突出部６の突出方向に対する反対の方向に付勢された状態でターンアーム２１に設けられることとなる。
【００３４】
（端子ホルダの構成）
図５（ａ）に端子ホルダ２３を一方の側面側から見た側面図を、図５（ｂ）に端子ホルダ２３を上面側から見た斜視図を、図５（ｃ）に端子ホルダ２３を裏面側から見た斜視図をそれぞれ示す。
【００３５】
この図５（ａ）〜（ｃ）からわかるように、端子ホルダ２３は、略長方形の長板形状を有しており、回動支持軸４１を中心として回動するシーソー構造を有している。この端子ホルダ２３は、図５（ｂ）に示すように上面部の一方の端部に近接した位置に短手方向に沿って、例えば５つの端子をそれぞれ突出させるための端子用孔４２が設けられており、これら各端子用孔４２からそれぞれ突出するように各端子４３が設けられている。
【００３６】
また、端子ホルダ２３には、上面部の他方の端部に近接した位置に、短手方向に沿って上記ターンレバー２２を支持するためのターンレバー支持部４４が設けられている。このターンレバー支持部４４は、端子ホルダ２３の上面部から突出して設けられており、例えば横断面が反円柱形状となっている。
【００３７】
また、端子ホルダ２３の上記他方の端部には、該端部を短手方向に延長するかたちで乗り上げ部４５が設けられている。この乗り上げ部４５は、後に説明する回転ロック部に乗り上げる部分となっている。すなわち、この乗り上げ部４５が回転ロック部（図８の符号５６）に乗り上げることで、当該端子ホルダ２３の回動が該回転ロック部により抑止されるようになっている。
【００３８】
また、端子ホルダ２３には、図５（ｂ）及び図５（ｃ）に示すように上記一方の端部から、上記上面部の反対側の面部である裏面側に突出するかたちでギア部４６が設けられている。このギア部４６は、後に説明する回転ダンパーギア部（図７の符号５３）と係合するようになっている。これにより、端子ホルダ２３が回動することで載置部１から突出する各端子４３の突出速度を、上記回転ダンパーギア部を介して減速処理するようになっている。
【００３９】
また、端子ホルダ２３の上記裏面側には、図５（ｃ）に示すように当該端子ホルダ２３の他方の端部に近接した位置にバネ引っ掛け部４７が設けられている。このバネ引っ掛け部４７には、上記ターンアーム２１の端子ホルダ用バネ引っ掛け部２９に一端が引っ掛けられたバネ部材の他端が引っ掛けられるようになっており、このバネ部材により、ターンアーム２１及び端子ホルダ２３が連結されるようになっている。
【００４０】
（端子の構成）
ここで、端子ホルダ２３に設けられる各端子４３は、図６（ａ）に示すように逆Ｖ字状に屈曲加工された突出部４３ａと、巻き線加工された巻き線部４３ｂを有している。このうち、突出部４３ａは、端子ホルダ２３の端子用孔４２から突出するように端子ホルダ２３に設けられている。また、巻き線部４３ｂは、スプリングとして機能し、載置部１に載置された携帯電話機側の端子と当接した際に、突出部４３ａを反突出方向に待避させると共に、該携帯電話機側の端子に対して適度の圧力で突出部４３ａを当接させるように機能する。
【００４１】
また、この実施の形態の充電器の場合、一例ではあるが計５つの端子４３を有している。図６（ｂ）は、端子ホルダ２３に設けられた各端子４３を一端部側から見た図であり、図６（ｃ）は各端子４３を部分的に図示した斜視図である。この図６（ｂ）及び図６（ｃ）からわかるように、この実施の形態の充電器の場合、左右両端の端子４３が、それぞれ陽極端子（＋）及び陰極端子（−）となっており、この陽極端子及び陰極端子を介して携帯電話機に充電を行うようになっている。
【００４２】
また、陰極端子（−）に隣接する２つの端子がデータ端子となっており、このデータ端子により、上記ＵＳＢ端子を介して送受信される所定のデータを携帯電話機との間で送受信するようになっている。
【００４３】
また、図６（ｂ）及び図６（ｃ）からわかるように、この２つのデータ端子は、他の端子４３に比べて突出量が少なくなっている。すなわち、この実施の形態の充電器の場合、端子ホルダ２３から突出している上記各端子４３の高さを、上記陽極端子及び陰極端子の高さよりもデータ端子の高さを若干低くすることで、各端子４３を携帯電話機に当接させる際に、先に陽極端子及び陰極端子を当接させ、次にデータ端子を当接させるようになっている。これにより、携帯電話機に対して上記陽極端子及び陰極端子を介して先に電源供給を行ったうえでの、上記データ端子を介したデータの送受信を可能としている。
【００４４】
（インナーシャーシの構成）
インナーシャーシ２４は、図３に示すように上記ターンアーム２１及び上記端子ホルダ２３を収納可能な箱形形状を有しており、ターンアーム２１の回転支持軸２６を支持する一対のターンアーム回動支持用孔５１と、端子ホルダ２３の回転支持軸４１を支持する一対の端子ホルダ回動支持用孔５２とを有している。
【００４５】
また、このインナーシャーシ２４は、端子ホルダ２３を収納した際に、該端子ホルダ２３に設けられたギア部４６と係合する回転ダンパーギア部５３を収納するための回転ダンパーギア収納部５４を有している。
【００４６】
また、このインナーシャーシ２４には、両側面部に、当該インナーシャーシ２４の短手方向に突出するかたちで、図１に示す保持用爪部８を収納するための保持用爪収納部５５が設けられている。また、このインナーシャーシ２４には、当該インナーシャーシ２４の短手方向に突出するかたちで、当該インナーシャーシ２４に収納された端子ホルダ２３の乗り上げ部４５が乗り上げ、また、当該インナーシャーシ２４に収納されたターンアーム２１のロック解除ボタン２５が載置される回転ロック部５６が設けられる回転ロック設置部５７が設けられている。
【００４７】
（回転ダンパーギア部及び回転ダンパーギア収納部の構成）
図７に、回転ダンパーギア部５３及び回転ダンパーギア収納部５４の詳細な斜視図を示す。一例ではあるが、当該実施の形態の充電器の場合、回転ダンパーギア部５３は、いわゆるオイルダンパーとなっており、油圧により回転ギア部６０の回転速度を減速するようになっている。この回転ダンパーギア部５３の上記回転ギア部６０が回転自在に接続されたギア部本体６１には、回転ダンパーギア収納部５４に対する位置決め及び固定を図るための孔部６２及びホールド部６３が、当該本体と一体成形により設けられている。
【００４８】
回転ダンパーギア収納部５４には、この回転ダンパーギア部５３の孔部６２に挿入される突出部６４、及び回転ダンパーギア部５３のホールド部６３でホールドされる突出部６５がそれぞれ設けられており、この各突出部６４、６５により、当該回転ダンパーギア収納部５４に設けられた回転ダンパーギア部５３を固定して収納するようになっている。
【００４９】
（回転ロック部及び回転ロック設置部の構成）
図８に、回転ロック部５６及び回転ロック設置部５７の詳細な斜視図を示す。この図８に示すように回転ロック部５６は、背もたれを有する座椅子状の形状を有している。この回転ロック部５６は、回転支持軸７１と、スプリング７２の一端部７２ａが挿入されるスプリング固定用孔７３とを有している。この回転ロック部５６は、上記背もたれに相当する部分の上面部が、上記端子ホルダ２３の乗り上げ部４５が乗り上げられた際に支持する支持部７４となっており、上記座椅子に相当する部分が、上記ターンアーム２１のロック解除ボタン２５が載置される押圧部７５となっている。
【００５０】
回転ロック設置部５７は、回転ロック部５６の上記回転支持軸７１を支持する一対の回動支持用孔７６を有している。このような回転ロック設置部５７に対して回転ロック部５６を設ける場合、回転ロック部５６の回転支持軸７１にスプリング７２の巻き線部を挿入すると共に、当該回転ロック部５６のスプリング固定用孔７３にスプリング７２の一端部７２ａを挿入する。そして、この状態で、スプリング７２の他端部７２ｂを、回転ロック設置部５７の溝部７７に挿入したうえで、該回転ロック部５６の回転支持軸７１を、回転ロック設置部５７の回動支持用孔７６に挿入する。これにより、回転ロック部５６が回転ロック設置部に対して回動可能に設置されることとなる。
【００５１】
〔充電器の組み立て〕
このような充電器を組み立てる場合、まず、図４（ａ）及び図４（ｂ）に示したように、ターンアーム２１のターンレバー挿入用孔２７にターンレバー２２の脚部３０を挿入したうえで、該脚部３０の先端に設けられたバネ引っ掛け部３１と、ターンアーム２１のターンレバー用バネ引っ掛け部２８とをバネ部材３２で連結する。
【００５２】
次に、図９に示すように、ターンレバー２２を設けたターンアーム２１の端子ホルダ用引っ掛け部２９にバネ部材８０の一端部を引っ掛け、また、端子ホルダ２３の裏面側に設けられたバネ引っ掛け部４７（図５（ｃ）参照）に上記バネ部材８０の他端部を引っ掛けることで、ターンアーム２１と端子ホルダ２３とを連結する。
【００５３】
次に、図３に示すように、このようにバネ部材８０でターンアーム２１及び端子ホルダ２３を連結した状態で、ターンアーム２１の回転支持軸２６を、インナーシャーシ２４のターンアーム回動支持用孔５１に挿入すると共に、端子ホルダ２３のギア部４６を、インナーシャーシ２４に設けられた回転ダンパーギア部５３と係合させると共に、該端子ホルダ２３の回転支持軸４１を、インナーシャーシ２４の端子ホルダ回動支持用孔５２に挿入する。
【００５４】
このように、インナーシャーシ２４に、ターンアーム２１及び端子ホルダ２３を組み込むと、インナーシャーシ２４側に設けられている回転ロック部５６の支持部７４に、端子ホルダ２３の乗り上げ部４５が乗り上げた状態となると共に、回転ロック部５６の押圧部７５に、ターンアーム２１のロック解除ボタン２５が載置された状態となる。
【００５５】
次に、このようにターンアーム２１及び端子ホルダ２３を組み込んだ状態のインナーシャーシ２４を、図１に示すように筐体３内に収納し、この筐体３に載置部１で蓋をするかたちで、該筐体３に載置部１を係合させる。これにより、図２に示すように載置部１が斜めに傾斜した当該充電器が組み立てられることとなる。
【００５６】
［充電器の動作］
次に、このような構成を有する当該実施の形態の充電器の動作を説明する。
【００５７】
〔携帯電話機の載置時の動作〕
図１０（ａ）〜図１０（ｄ）は、それぞれ当該充電器の端子突出機構２の主要部（以下、単に端子突出機構２と言う。）を真横から見た図となっており、図１０（ａ）は、載置部１に携帯電話機を載置する前の上記端子突出機構２の状態を、図１０（ｂ）は、載置部１に対する携帯電話機の載置中の上記端子突出機構２の状態を、図１０（ｃ）は、図１０（ｂ）の状態よりも、さらに深く載置部１に携帯電話機を載置した際の上記端子突出機構２の状態を、図１０（ｄ）は、載置部１に携帯電話機を完全に載置した際の上記端子突出機構２の状態を、それぞれ示している。
【００５８】
まず、載置部１に携帯電話機が載置されていない状態では、図１０（ａ）に示すようにバネ部材８０の付勢により、ターンアーム２１が回転支持軸２６を中心として回動することで、該ターンアーム２１の突出部６が、図２に示すように載置部１の突出部用孔７から突出した状態となる。また、この載置部１に携帯電話機が載置されていない状態では、バネ部材８０の付勢により、端子ホルダ２３が回転支持軸４１を中心として回動することで、該端子ホルダ２３の乗り上げ部４５が、回転ロック部５６の支持部７４に乗り上げた状態となる。そして、この場合、バネ部材８０の付勢により、ターンアーム２１及び端子ホルダ２３が、それぞれ図１０（ａ）の矢印方向に回動した状態であるため、端子ホルダ２３の各端子４３は、筐体３内に収納されたままの状態（＝載置部１から突出していない状態）となる。
【００５９】
次に、載置部１に携帯電話機が載置されはじめると、この携帯電話機によりターンアーム２１の突出部６が押圧されるため、ターンアーム２１が上記バネ部材８０の付勢に逆らって、図１０（ｂ）に矢印で示す方向に回動する。そして、この図１０（ｂ）に示すように、ターンアーム２１に設けられたターンレバー２２が、端子ホルダ２３のターンレバー支持部４４に当接すると共に、ターンアーム２１に設けられたロック解除ボタン２５が、回転ロック部５６の押圧部７５に当接した状態となる。
【００６０】
なお、この状態では、端子ホルダ２３の乗り上げ部４５が、回転ロック部５６の支持部７４に乗り上げた状態のままであるため、端子ホルダ２３の各端子４３は、筐体３内に収納されたままの状態となる。
【００６１】
次に、載置部１に対して、さらに深く携帯電話機が載置されると、この携帯電話機によりターンアーム２１の突出部６がさらに強く押圧されることとなるため、図１０（ｃ）に矢印で示すように、端子ホルダ２３のターンレバー支持部４４に当接していたターンレバー２２がバネ部材３２（図４（ｂ）及び図９参照）の付勢に逆らった方向に回動し、携帯電話機による上記突出部６の押圧力を吸収する。
【００６２】
すなわち、載置部１に対して携帯電話機が完全に載置されるまでは、端子ホルダ２３の各端子４３を突出させないことが好ましい。このため、この実施の形態の充電器の場合、載置部１に対して携帯電話機が完全に載置されるまでは、携帯電話機により上記突出部６が押圧されても、ある程度まで（＝上記携帯電話機が完全に載置されるまで）は、この押圧に耐えて各端子４３の突出を遅延化するようになっている。ターンレバー２２は、バネ部材３２で付勢されている力に基づいて、上記各端子４３の突出の遅延化を図る役割を担っている。
【００６３】
次に、載置部１に対して携帯電話機が完全に載置された状態となると、この携帯電話機によりターンアーム２１の突出部６がさらに強く押圧されることとなるため、図１０（ｄ）に矢印で示すように、ターンアーム２１のロック解除ボタン２５で回転ロック部５６の押圧部７５が押圧され、該回転ロック部５６が、図１０（ｄ）の矢印で示す方向に回動する。このように回転ロック部５６が回動すると、該回転ロック部５６の支持部７４による端子ホルダ２３の乗り上げ部４５の支持が解除され（ロックが解除され）、上記支持部７４から上記乗り上げ部４５が滑落する状態となる。
【００６４】
そして、上記支持部７４から上記乗り上げ部４５が滑落することで、ターンアーム２１と端子ホルダ２３とを連結するバネ部材８０が付勢する力に逆らって、端子ホルダ２３が回転支持軸４１を中心として回動し、図１０（ｄ）の矢印に示すように、この端子ホルダ２３に設けられた各端子４３が載置部１の各端子用孔５から突出する。これにより、この載置部１から突出した各端子４３が携帯電話機側の各端子と当接し、充電、或いはデータの送受信が可能となる。
【００６５】
〔回転ダンパーギア部の作用〕
ここで、上述のように、載置部１に対して携帯電話機が完全に載置された状態となると、ターンアーム２１のロック解除ボタン２５で回転ロック部５６の押圧部７５が押圧され、該回転ロック部５６による上記ロックが解除され、載置部１から各端子４３が突出するのであるが、この際、回転ダンパーギア部５３は、この各端子４３の突出速度を減速処理するようになっている。
【００６６】
すなわち、端子ホルダ２３に設けられているギア部４６は、図１０（ｄ）に示すようにインナーシャーシ２４側に設けられた回転ダンパーギア部５３に係合しており、載置部１から各端子４３が突出する際に、ギア部４６により、この回転ダンパーギア部５３が回転操作されるようになっている。回転ダンパーギア部５３は、上述のようにオイルダンパーで形成されているため、油圧により、ギア部４６による回転操作速度を減速処理する。これにより、各端子４３の突出速度を減速処理することができ、載置部１から突出する各端子４３を、適度な速度で携帯電話機側の端子に当接させることができる。
【００６７】
〔携帯電話機の取り外し時の動作〕
以上は、載置部１に携帯電話機が載置された際の端子突出機構２の動作説明であったが、載置部１に載置された携帯電話機を取り外した場合には、端子突出機構２は、図１０（ｄ）→図１０（ｃ）→図１０（ｂ）→図１０（ａ）の順に辿った動作を行うこととなる。上述の携帯電話機の載置時の動作説明と重複するため簡単に説明すると、載置部１から携帯電話機が取り外されると、ターンアーム２１と端子ホルダ２３とを連結するバネ部材８０の付勢する力によって端子ホルダ２３が端子４３の反突出方向に回動し、端子ホルダ２３の乗り上げ部４５が回転ロック部５６の支持部７４に乗り上げた状態となり、該端子ホルダ２３が回転ロック部５６により再度ロックされた状態に戻ると共に、端子ホルダ２３の各端子４３が筐体３内に収納される。また、ターンアーム２１と端子ホルダ２３とを連結するバネ部材８０の付勢する力によって、ターンアーム２１の突出部６が載置部１の突出部用孔７から突出した状態に戻る。
【００６８】
なお、上述のように、端子ホルダ２３のギア部４６と回転ダンパーギア部５３とは係合しているため、載置部１に載置された携帯電話機を取り外した場合でも、この回転ダンパーギア部５３が作用し、筐体３内に収納される各端子４３の収納速度を減速処理する。これにより、載置部１に載置された携帯電話機を取り外した場合に筐体３内に収納される各端子４３は、言わばゆっくりとした速度で筐体３内に収納されることとなる。
【００６９】
［実施の形態の効果］
以上の説明から明らかなように、この実施の形態の充電器は、載置部１に載置された携帯電話機によりターンアーム２１の突出部６が押圧された際に、該ターンアーム２１に連動するターンレバー２２が、端子ホルダ２３のターンレバー支持部４４に当接することで、ターンアーム２１のロック解除ボタン２５と回転ロック部５６の押圧部７５との当接を遅延化させる。そして、さらにターンアーム２１の突出部６が押圧された際に、ターンレバー支持部４４に当接しているターンレバー２２が当該ターンレバー２２の反付勢方向に回動することで、ターンアーム２１のロック解除ボタン２５と回転ロック部５６の押圧部とを当接させ、該ロック解除ボタン２５で該回転ロック部５６の押圧部７５を押圧することで、当該押圧方向に上記回転ロック部５６を回動させて、該回転ロック部５６の支持部７４による端子ホルダ２３の乗り上げ部４５の支持を解除し、バネ部材８０で付勢されている端子ホルダ２３を各端子４３の突出方向に回動させ、載置部１から各端子４３を突出させる。
【００７０】
すなわち、載置部１に対して携帯電話機が完全に載置されるまでは、ターンレバー２２が端子ホルダ２３のターンレバー支持部４４に当接することで、ターンアーム２１のロック解除ボタン２５と回転ロック部５６の押圧部７５との当接を遅延化し、載置部１から端子ホルダ２３の各端子４３が突出するのを抑止する。
【００７１】
また、載置部１に対して携帯電話機が完全に載置された際には、ターンレバー２２が当該ターンレバー２２の反付勢方向に回動することで、上記ターンアーム２１のロック解除ボタン２５と上記回転ロック部５６の押圧部７５とを当接させる。そして、上記ロック解除ボタン２５で上記押圧部７５を押圧して上記回転ロック部５６を回動させ、該回転ロック部５６の上記支持部７４による端子ホルダ２３の乗り上げ部４５の支持を解除する。これにより、バネ部材８０で付勢されている端子ホルダ２３が各端子４３の突出方向に回動し、載置部１から各端子４３を突出させる。
【００７２】
これにより、載置部１に対して携帯電話機が完全に載置されたタイミングで、載置部１から各端子４３を突出させることができる。このため、携帯電話機が載置部１に完全に載置されないうちに各端子４３が突出することで、該突出した各端子４３に携帯電話機が衝突し、該端子４３が折れ曲がり、携帯電話機が損傷する不都合を防止することができる。
【００７３】
また、この実施の形態の充電器は、載置部１が、底の浅い略箱形形状を有している。このため、載置部１に対する携帯電話機の装着方向を多方向に広げることができる。
【００７４】
なお、載置部１の形状を底の浅い略箱形形状とすると、携帯電話機が載置される方向によっては、該携帯電話機が載置部１に完全に載置されないうちに各端子４３が突出するおそれがあるが、当該実施の形態の充電器の場合、載置部１に対してどのような方向から携帯電話機を載置しても、上述のように載置部１に対して携帯電話機が完全に載置されるまでの間は各端子４３の突出を抑止することができるため、携帯電話機が載置部１に完全に載置されないうちに突出した各端子４３に携帯電話機が衝突して該端子４３が折れ曲がり、携帯電話機が損傷する不都合を防止することができる。
【００７５】
また、この実施の形態の充電器は、端子ホルダ２３から突出している各端子４３の高さを、陽極端子及び陰極端子の高さよりもデータ端子の高さを若干低くしている。このため、各端子４３を携帯電話機に当接させる際に、陽極端子及び陰極端子を先に携帯電話機に当接させた後に、該携帯電話機に対してデータ端子を当接させることができる。このため、先に当接させた陽極端子及び陰極端子を介して携帯電話機に通電を行ったうえで、データ端子を介してデータの送受信を行うことができる。そして、このように各端子が携帯電話機に当接する順番を機械的に制御することができるため、通電及びデータ送受信の順番の電気的な制御を不要とすることができる。
【００７６】
また、この実施の形態の充電器は、端子ホルダ２３に設けられているギア部４６及びインナーシャーシ２４側に設けられた回転ダンパーギア部５３により、各端子４３の突出速度を減速処理することができるため、載置部１から突出する各端子４３を、適度な速度で携帯電話機側の端子に当接させることができる。
【００７７】
［変形例］
上述の実施の形態の説明では、本発明を携帯電話機の充電器に適用することとしたが、本発明は、この他、ＰＨＳ電話機（PHS：Personal Handyphone System）、ＰＤＡ装置（PDA：Personal Digital Assistant）、携帯ゲーム機、デジタルカメラ装置、携帯テレビジョン受像機等の携帯機器に対して充電を図る充電器に対しても適用可能である。そして、いずれの場合でも、上述と同じ効果を得ることができる。
【００７８】
最後に、本発明は、本発明の一例として開示したに過ぎない上述の実施の形態に限定されることはない。このため、本発明に係る技術的思想を逸脱しない範囲であれば、上述の実施の形態以外であっても設計等に応じて種々の変更が可能であることは勿論であることを付け加えておく。
【図面の簡単な説明】
【００７９】
【図１】本発明を適用した実施の形態となる充電器の分解斜視図である。
【図２】実施の形態となる充電器の斜視図である。
【図３】実施の形態となる充電器に収納されている端子突出機構の分解斜視図である。
【図４】実施の形態となる充電器の端子突出機構のターンアーム及びターンレバーの構成及び連結関係を説明するための図である。
【図５】実施の形態となる充電器の端子ホルダの構成を説明するための図である。
【図６】実施の形態となる充電器の端子ホルダに設けられている各端子の構成を説明するための図である。
【図７】実施の形態となる充電器のインナーシャーシに設けられた回転ダンパーギア収納部と、この回転ダンパーギア収納部に収納される回転ダンパーギア部の斜視図である。
【図８】実施の形態となる充電器のインナーシャーシに設けられた回転ロック設置部と、この回転ロック設置部に設置される回転ロック部の斜視図である。
【図９】実施の形態となる充電器の端子突出機構を裏面側から見た斜視図である。
【図１０】実施の形態となる充電器における、携帯電話機の載置時の端子突出機構の動作を説明するための図である。
【符号の説明】
【００８０】
１  載置部、１ａ  載置部の周壁部、２  端子突出機構、３  充電器の筐体、５  端子を突出させる端子用孔、６  端子突出機構の突出部、７  突出部を突出させる突出部用孔、８  携帯電話機の保持用孔に嵌込する保持用爪部、９  保持用爪部を突出させる爪部用孔、１０  滑落防止及び目印用の突出部、１１  電源端子を露出させるための電源端子用孔、１２  データ端子を露出させるためのデータ端子用孔、１５  携帯電話機、１６  保持用爪部が嵌込する携帯電話機の保持用孔、２１  ターンアーム、２２  ターンレバー、２３  端子ホルダ、２４  インナーシャーシ、２５  ターンアームのロック解除ボタン、２６  ターンアームの回動支持軸、２７  ターンレバー挿入用孔、２８  ターンレバー用バネ引っ掛け部、２９  端子ホルダ用バネ引っ掛け部、３０  ターンレバーの脚部、３１  バネ引っ掛け部、３２  バネ部材、４１  端子ホルダの回動支持軸、４２  端子ホルダの端子用孔、４３  端子ホルダに設けられた端子、４３ａ  端子の突出部、４３ｂ  端子の巻き線部、４４  端子ホルダのターンレバー支持部、４５  端子ホルダの乗り上げ部、４６  端子ホルダのギア部、４７  端子ホルダのバネ引っ掛け部、５１  インナーシャーシのターンアーム回動支持用孔、５２  インナーシャーシの端子ホルダ回動支持用孔、５３  回転ダンパーギア部、５４  回転ダンパーギア収納部、５５  保持用爪部の保持用爪収納部、５６  回転ロック部、５７  回転ロック設置部、６０  回転ダンパーギア部の回転ギア部、６１  回転ダンパーギア部のギア部本体、６２  回転ダンパーギア部の孔部、６３  回転ダンパーギア部のホールド部、６４  回転ダンパーギア部の孔部に挿入される突出部、６５  回転ダンパーギア部のホールド部でホールドされる突出部、７１  回転ロック部の回転支持軸、７２  回転ロック部に設けられるスプリング、７３  スプリングの一端部が挿入されるスプリング固定用孔、７４  回転ロック部の支持部、７５  回転ロック部の押圧部、７６  回転ロック設置部の回動支持用孔、７７  回転ロック設置部の溝部、８０  ターンアームと端子ホルダを連結するスプリング
【図１】
2008125305.tif 000003
【図２】
2008125305.tif 000004
【図３】
2008125305.tif 000005
【図４】
2008125305.tif 000006
【図５】
2008125305.tif 000007
【図６】
2008125305.tif 000008
【図７】
2008125305.tif 000009
【図８】
2008125305.tif 000010
【図９】
2008125305.tif 000011
【図１０】
2008125305.tif 000012